(57)【要約】【課題】用途に応じて輻射暖房と温風暖房が使い分けできる電気暖房機を得ることを目的とする。【解決手段】ほぼ斜め下方に向け輻射する輻射ヒータ１を設けた輻射部２と温風吹出口５を左右に並べて設け、壁面８の上方部に配設される本体７を備え、温風吹出口５に上下および左右に風向を変更できる風向変更手段１０を設けることにより、用途に応じて輻射暖房と温風暖房が使い分けできる電気暖房機を得られる。【選択図】　図１
2004053121.tif 000002
【特許請求の範囲】
【請求項１】
ほぼ斜め下方に向け輻射する輻射ヒータを設けた輻射部と温風吹出口を左右に並べて設け、壁面の上方部に配設される本体を備え、前記温風吹出口に上下および左右に風向を変更できる風向変更手段を設けた電気暖房機。
【請求項２】
輻射ヒータの取付位置が壁面から１０ｃｍ以上遠ざかるように形成した請求項１記載の電気暖房機。
【請求項３】
温風吹出口の風上側にマイナスイオン発生装置を設けた請求項１記載の電気暖房機。
【請求項４】
温風吹出口に筒状の吹出具を着脱可能に設けた請求項１、２または３記載の電気暖房機。
【発明の詳細な説明】
【０００１】
【発明の属する技術分野】
本発明は、輻射暖房と温風暖房を備えた電気暖房機に関する。
【０００２】
【従来の技術】
従来、この種の電気暖房機の一例として図７に示されるものが知られている。以下、その構成について図７を参照しながら説明する。
【０００３】
図に示すように、暖かいスピード暖房ができるヒータとして遠赤外線ハロゲンヒータ１０１を内部に設けた本体１０２を壁面に設け、スイッチ部１０３の操作で輻射暖房を行っていた。
【０００４】
【発明が解決しようとする課題】
このような従来の電気暖房機では、輻射暖房のみであるため暖房機能に制約があり、温風が供給できないという課題があり、輻射暖房と温風暖房の使い分けができるものが要求されている。
【０００５】
本発明は、このような従来の課題を解決するもので、用途に応じて輻射暖房と温風暖房が使い分けできる電気暖房機を提供することを目的とする。
【０００６】
【課題を解決するための手段】
本発明の電気暖房機は上記目的を達成するために、ほぼ斜め下方に向け輻射する輻射ヒータを設けた輻射部と温風吹出口を左右に並べて設け、壁面の上方部に配設される本体を備え、前記温風吹出口に上下および左右に風向を変更できる風向変更手段を設けた構成としたものである。
【０００７】
本発明によれば、用途に応じて輻射暖房と温風暖房が使い分けできる電気暖房機が得られる。
【０００８】
【発明の実施の形態】
本発明は、ほぼ斜め下方に向け輻射する輻射ヒータを設けた輻射部と、温風吹出口を左右に並べて設け、壁面の上方部に配設される本体を備え、前記温風吹出口に上下および左右に風向を変更できる風向変更手段を設けた構成としたものであり、用途に応じて輻射暖房、温風暖房の使い分けができ、温風暖房に切り換えて使うときに使用者の場所の制約がなく、便利に使えるという作用を有する。
【０００９】
以下、本発明の実施例について図面を参照しながら説明する。
【００１０】
【実施例】
（実施例１）
図１〜図６に示すように、ほぼ斜め下方に向け開口し、内部にカーボンヒータ等からなる輻射ヒータ１を設けた輻射部２と、送風ファン３とセラミックヒータ等からなる温風ヒータ４により温風を送出する温風吹出口５を左右に並べて設け、温風吹出口５の風上側にはマイナスイオン発生装置６を設けて本体７を形成し、本体７は壁面８の上方部に直付けされる。
【００１１】
そして、輻射ヒータ１の取付位置９が壁面８からの距離Ｗが１０ｃｍ以上遠ざかるように設け、温風吹出口５には温風を上下および左右に風向を変更できる風向変更手段１０を設ける。また、温風吹出口５には先細りの筒状の吹出具１１を着脱可能に設け構成する。
【００１２】
上記構成において、輻射暖房と温風暖房は切換スイッチ（図示せず）を切り換えて運転され、輻射ヒータ１と送風ファン３または温風ヒータ４のいずれかに通電する。温風暖房は輻射部２からは輻射暖房が行われ、輻射部２の左または右に並べて設けられた温風吹出口５から温風暖房が行われることとなる。
【００１３】
また、輻射暖房を行うときには、輻射ヒータ１のみに通電する。
【００１４】
また、温風暖房または涼風運転時には、温風吹出口５の風上側に設けたマイナスイオン発生装置６からマイナスイオンが温風とともに放散される。
【００１５】
ここで涼風運転の操作を説明すると、輻射ヒータ１および温風ヒータ４への通電を停止し、送風ファン３のみを運転し、温風吹出口５からは涼風を送風して涼を得ることができる。
【００１６】
一例として脱衣所で電気暖房機を使用するときの使用状態を（表１）に示す。
【００１７】
【表１】
2004053121.tif 000003
【００１８】
この（表１）からも明らかなように用途に応じて輻射暖房と温風暖房を使い分けすることができる。
【００１９】
このように本発明の実施例１の電気暖房機によれば、ほぼ斜め下方に向け輻射する輻射ヒータ１を設けた輻射部２と温風吹出口５を左右に並べて設け、壁面８の上方部に配設される本体７を備え、温風吹出口５に上下および左右に風向を変更できる風向変更手段１０を設けたので、用途に応じて輻射暖房と温風暖房の使い分けができ、また、温風に切り換えて使うときには使用者の場所の制約がなく、便利に使えることとなる。
【００２０】
また、輻射ヒータ１の取付位置９が壁面８から１０ｃｍ以上遠ざかるように形成したので、使用者との距離が近づき暖房効果が高まるとともに、輻射ヒータ１等の発熱源が壁面８より遠くなり、伝達熱の悪影響が少なくなる。また、夏期に使用する場合においては、温風吹出口５が使用者に近づくこととなり涼風効果が高められることとなる。
【００２１】
また、温風吹出口５の風上側にマイナスイオン発生装置６を設けたので、（表１）に示すように温風運転または涼風運転においてマイナスイオンを発生することができる。とくに入浴後に身体を温風または涼風で乾燥時にマイナスイオンを供給することにより、リラックス効果を高め、身体を睡眠しやすい状態とすることができ、さらに毛髪の乾燥と同時にマイナスイオンを供給することができ、プラスに帯電しやすい毛髪の静電気を中和し、水分を浸透しやすくすることができる。
【００２２】
また、温風吹出口５に先細りの筒状の吹出具１１を設けたので、温風または涼風を近くから集中して供給することができ、暖房および乾燥効果を高めるとともに、マイナスイオンの供給量も増加することができ、リラックス効果を更に高めることができる。
【００２３】
【発明の効果】
以上の実施例から明らかなように、本発明によればほぼ斜め下方に向け輻射する輻射ヒータを設けた輻射部と温風吹出口を左右に並べて設け、壁面の上方部に配設される本体を備え、前記温風吹出口に上下および左右に風向を変更できる風向変更手段を設けたので、用途に応じて輻射暖房と温風暖房を使い分けできる便利な効果のある電気暖房機を提供できる。
【００２４】
また、輻射ヒータの取付位置が壁面から１０ｃｍ以上遠ざかるように形成したので、暖房効果が高まるとともに、壁面への伝達熱の悪影響が少なくなる。
【００２５】
また、温風吹出口の風上側にマイナスイオン発生装置を設けたので、リラックス効果かつ高まるとともに、毛髪の静電気が中和され、水分が浸透しやすくなる。
【００２６】
また、温風吹出口に筒状の吹出具を着脱可能に設けたので、暖房および乾燥効果ならびにリラックス効果を高めることができる。
【図面の簡単な説明】
【図１】本発明の実施例１の電気暖房機を壁面に取付けた状態を示す斜視図
【図２】同電気暖房機の温風吹出口の構成を示す断面図
【図３】同電気暖房機の輻射部の構成を示す断面図
【図４】同電気暖房機のマイナスイオン発生装置を示す断面図
【図５】同電気暖房機の吹出具を取付けた状態を示す斜視図
【図６】同電気暖房機の吹出具を取付けた状態を示す断面図
【図７】従来の電気暖房機の斜視図
【符号の説明】
１　輻射ヒータ
２　輻射部
５　温風吹出口
６　マイナスイオン発生装置
７　本体
８　壁面
９　取付位置
１０　風向変更手段
１１　吹出具
【図１】
2004053121.tif 000004
【図２】
2004053121.tif 000005
【図３】
2004053121.tif 000006
【図４】
2004053121.tif 000007
【図５】
2004053121.tif 000008
【図６】
2004053121.tif 000009
【図７】
2004053121.tif 000010